(57)【要約】【課題】  安価にかつ省スペース、省電力、無調整等について簡単にピンポン方式からエコーキャンセラ方式への変換ができるディジタル変復調装置を提供する。【解決手段】  ピンポン方式伝送を行うためのディジタル変復調装置であって、エコーキャンセラ方式の出力信号の位相とピンポン方式の入力位相、又はピンポン方式の出力信号の位相とエコーキャンセラ方式の入力位相を合わせこみ、かつ信号形式を合わせることにより両者の接続を行う手段を有する。【選択図】  図１
2005136663.tif 000002
【特許請求の範囲】
【請求項１】
ピンポン方式伝送を行うためのディジタル変復調装置であって、
エコーキャンセラ方式の出力信号の位相とピンポン方式の入力位相、又はピンポン方式の出力信号の位相とエコーキャンセラ方式の入力位相を合わせこみ、かつ信号形式を合わせることにより両者の接続を行う手段を有することを特徴とするディジタル変復調装置。
【請求項２】
装置動作に必要な電力を生成する電源手段と、
ピンポン伝送方式の信号を受信し、該信号を通常のディジタル信号に復調するピンポン型回線終端手段と、
前記通常のディジタル信号を変換する変換手段と、
前記ピンポン型回線終端手段から入力された前記通常のディジタル信号を前記装置外へ出力するか、又は前記変換手段へ出力するかを選択する選択手段と、
前記選択手段の選択に合わせて、前記電源手段による電力供給を制御する切断手段と、
前記変換手段で変換された信号をエコーキャンセラ方式の信号に変換し、該エコーキャンセラ方式の信号の出力を行うエコーキャンセラ型局終端手段と、を有し、
ピンポン型伝送方式に加え、エコーキャンセラ型伝送端末装置に接続できることを特徴とするディジタル変復調装置。
【請求項３】
前記切断手段は、前記選択手段が前記ピンポン型回線終端手段から出力された前記通常のディジタル信号を前記装置外へ出力する経路を選択した場合、前記変換手段及び前記エコーキャンセラ型局終端手段に供給する電力をカットし、不要な回路動作を押さえて前記装置内の電力消費を押さえることを特徴とする請求項２記載のディジタル変復調装置。
【請求項４】
前記切断手段は、前記選択手段が前記ピンポン型回線終端手段から出力された前記通常のディジタル信号を前記変換手段への出力を選択した場合、前記変換手段及び前記エコーキャンセラ型局終端手段へ電力を供給することを特徴とする請求項２又は３記載のディジタル変復調装置。
【請求項５】
前記エコーキャンセラ型局終端手段は、エコーキャンセラ方式に適合した回線終端装置が接続され、該回線終端装置に対して前記エコーキャンセラ方式の信号の出力することを特徴とする請求項２から４のいずれか１項に記載のディジタル変復調装置。
【請求項６】
前記変換手段は、前記ピンポン型回線終端手段の出力信号の位相と前記エコーキャンセラ型局終端手段の入力位相を合わせこみ、かつ信号形式を合わせることにより両者の接続を行うことを特徴とする請求項２から４のいずれか１項に記載のディジタル変復調装置。
【請求項７】
前記電源手段は、ＴＣＭラインを通じてファントム給電された電力を装置内に分配することを特徴とする請求項２記載のディジタル変復調装置。
【請求項８】
装置動作に必要な電力を生成する電源手段と、
ピンポン伝送方式の信号を受信し、該信号を通常のディジタル信号に復調するピンポン型回線終端手段と、
エコーキャンセラ方式の信号を受信し、該エコーキャンセラ方式の信号の出力を行うエコーキャンセラ型局終端手段と、
前記エコーキャンセラ型局終端手段から入力した前記エコーキャンセラ方式の信号を変換する変換手段と、
前記変換手段により変換した変換信号をそのままピンポン型回線終端手段へ出力するか、あるいは、ＴＣＭライン信号をピンポン型回線終端手段へ入力するか選択する選択手段と、
前記選択手段の選択に合わせて、前記電源手段による電力供給を制御する切断手段と、を有し、
エコーキャンセラ型伝送方式に加え、ピンポン型伝送端末装置に接続できることを特徴とするディジタル変復調装置。
【請求項９】
前記切断手段は、前記選択手段が前記変換手段から出力された前記エコーキャンセラ方式の信号を前記ピンポン型回線終端手段へ入力する経路を選択した場合、前記変換手段及び前記エコーキャンセラ型局終端手段に電力を供給することを特徴とする請求項８記載のディジタル変復調装置。
【請求項１０】
前記切断手段は、前記選択手段が前記ＴＣＭライン信号を前記ピンポン型回線終端手段へ入力する経路を選択した場合、前記変換手段及び前記エコーキャンセラ型局終端手段へ電力を切断し、消費電力を押さえることを特徴とする請求項８又は９記載のディジタル変復調装置。
【請求項１１】
前記変換手段は、前記エコーキャンセラ型局終端手段の出力信号の位相と前記ピンポン型回線終端手段の入力位相を合わせこみ、かつ信号形式を合わせることにより両者の接続を行うことを特徴とする請求項８から１０のいずれか１項に記載のディジタル変復調装置。
【請求項１２】
ローカル給電を使用するか、ファントム給電からの電力を利用するか、あるいは併用するかを選択可能とすることを特徴とする請求項１から１１のいずれか１項に記載のディジタル変復調装置。
【請求項１３】
前記ピンポン型回線終端手段に接続され、外部から基準クロック信号を受信し、必要に応じて他装置に対して信号を出力する送受信タイミング信号生成手段をさらに有することを特徴とする請求項１から１２のいずれか１項に記載のディジタル変復調装置。
【請求項１４】
前記送受信タイミング信号生成手段は、複数回線を同一装置内において同一位相で動作させる必要がある場合には、外部基準クロックに同期させることができることを特徴とする請求項１３記載のディジタル変復調装置。
【請求項１５】
請求項１から１４のいずれか１項に記載のディジタル変復調装置で用いられ、エコーキャンセラ方式の出力信号の位相とピンポン方式の入力位相、又はピンポン方式の出力信号の位相とエコーキャンセラ方式の入力位相を合わせこみ、かつ信号形式を合わせることにより両者の接続を行うことを特徴とするディジタル変復調方法。
【発明の詳細な説明】
【技術分野】
【０００１】
本発明は、ディジタル変復調装置に関し、詳しくは、ピンポン方式からエコーキャンセラ方式への変換接続を行うディジタル変復調装置及びディジタル変復調方法に関する。
【背景技術】
【０００２】
従来のディジタル変復調装置は、図２に示すようにＴＣＭ−ＤＳＵと電源からなる。しかしながら、従来のディジタル変復調装置においては、次のような課題がある。第１の課題は、ＴＣＭ−ＤＳＵしか具備していないため、ピンポン方式にのみしか対応できないということである。よって、従来はピンポン方式からエコーキャンセラ方式への変換接続は複数の装置を接続して運用する必要があった。
【０００３】
従来技術例として、伝送方式を判定してピンポン伝送方式とエコーキャンセラ伝送方式とを切り替えることにより２種類の装置を個別に用意する必要がない伝送方式自動選択システムがある（例えば、特許文献１参照）。また、スイッチを切り替えることにより、ピンポン伝送方式とエコーキャンセラ伝送方式の機能を１つの装置で実現できる「双方向汎用ディジタル伝送装置」がある（例えば、特許文献２参照）。
【特許文献１】特開２００２−９４６０２号公報
【特許文献２】特開昭６２−１２０７４３号公報
【発明の開示】
【発明が解決しようとする課題】
【０００４】
しかしながら、上記特許文献記載の発明は、ピンポン方式及びエコーキャンセラ方式のどちらが接続されても終端できるように接続された回線を検出して終端先を切り替えるものであり、ピンポン方式からエコーキャンセラ方式への変換接続を行うものではなく、さらに上記特許文献記載の発明は、ピンポン方式とエコーキャンセラ方式の切り替えをするためには部品コスト、部品設置スペース、及び消費電力を要するという第２の課題がある。
【０００５】
本発明は、上記事情に鑑みてなされたものであり、変換機能を１つの装置内に具備したことにより、省スペースかつ省電力でピンポン方式からエコーキャンセラ方式への変換接続が容易にかつ安価に実現できるディジタル変復調装置及びディジタル変復調方法を提供することを目的とする。
【課題を解決するための手段】
【０００６】
かかる目的を達成するために、本発明は、ピンポン方式伝送を行うためのディジタル変復調装置であって、エコーキャンセラ方式の出力信号の位相とピンポン方式の入力位相、又はピンポン方式の出力信号の位相とエコーキャンセラ方式の入力位相を合わせこみ、かつ信号形式を合わせることにより両者の接続を行う手段を有することを特徴とする。
【０００７】
また、本発明は、装置動作に必要な電力を生成する電源手段と、ピンポン伝送方式の信号を受信し、信号を通常のディジタル信号に復調するピンポン型回線終端手段と、通常のディジタル信号を変換する変換手段と、ピンポン型回線終端手段から入力された通常のディジタル信号を装置外へ出力するか、又は変換手段へ出力するかを選択する選択手段と、選択手段の選択に合わせて、電源手段による電力供給を制御する切断手段と、変換手段で変換された信号をエコーキャンセラ方式の信号に変換し、エコーキャンセラ方式の信号の出力を行うエコーキャンセラ型局終端手段と、を有し、ピンポン型伝送方式に加え、エコーキャンセラ型伝送端末装置に接続できることを特徴とする。
【０００８】
また、本発明は、切断手段は、選択手段がピンポン型回線終端手段から出力された通常のディジタル信号を装置外へ出力する経路を選択した場合、変換手段及びエコーキャンセラ型局終端手段に供給する電力をカットし、不要な回路動作を押さえて装置内の電力消費を押さえることを特徴とする。
【０００９】
また、本発明は、切断手段は、選択手段がピンポン型回線終端手段から出力された通常のディジタル信号を変換手段への出力を選択した場合、変換手段及びエコーキャンセラ型局終端手段へ電力を供給することを特徴とする。
【００１０】
また、本発明は、エコーキャンセラ型局終端手段は、エコーキャンセラ方式に適合した回線終端装置が接続され、回線終端装置に対してエコーキャンセラ方式の信号の出力することを特徴とする。
【００１１】
また、本発明は、変換手段は、ピンポン型回線終端手段の出力信号の位相とエコーキャンセラ型局終端手段の入力位相を合わせこみ、かつ信号形式を合わせることにより両者の接続を行うことを特徴とする。
【００１２】
また、本発明は、電源手段は、ＴＣＭラインを通じてファントム給電された電力を装置内に分配することを特徴とする。
【００１３】
また、本発明は、装置動作に必要な電力を生成する電源手段と、ピンポン伝送方式の信号を受信し、信号を通常のディジタル信号に復調するピンポン型回線終端手段と、エコーキャンセラ方式の信号を受信し、エコーキャンセラ方式の信号の出力を行うエコーキャンセラ型局終端手段と、エコーキャンセラ型局終端手段から入力したエコーキャンセラ方式の信号を変換する変換手段と、変換手段により変換した変換信号をそのままピンポン型回線終端手段へ出力するか、あるいは、ＴＣＭライン信号をピンポン型回線終端手段へ入力するか選択する選択手段と、選択手段の選択に合わせて、電源手段による電力供給を制御する切断手段と、を有し、エコーキャンセラ型伝送方式に加え、ピンポン型伝送端末装置に接続できることを特徴とする。
【００１４】
また、本発明は、切断手段は、選択手段が変換手段から出力されたエコーキャンセラ方式の信号をピンポン型回線終端手段へ入力する経路を選択した場合、変換手段及びエコーキャンセラ型局終端手段に電力を供給することを特徴とする。
【００１５】
また、本発明は、切断手段は、選択手段がＴＣＭライン信号をピンポン型回線終端手段へ入力する経路を選択した場合、変換手段及びエコーキャンセラ型局終端手段へ電力を切断し、消費電力を押さえることを特徴とする。
【００１６】
また、本発明は、変換手段は、エコーキャンセラ型局終端手段の出力信号の位相とピンポン型回線終端手段の入力位相を合わせこみ、かつ信号形式を合わせることにより両者の接続を行うことを特徴とする。
【００１７】
また、本発明は、ローカル給電を使用するか、ファントム給電からの電力を利用するか、あるいは併用するかを選択可能とすることを特徴とする。
【００１８】
また、本発明は、ピンポン型回線終端手段に接続され、外部から基準クロック信号を受信し、必要に応じて他装置に対して信号を出力する送受信タイミング信号生成手段をさらに有することを特徴とする。
【００１９】
また、本発明は、送受信タイミング信号生成手段は、複数回線を同一装置内において同一位相で動作させる必要がある場合には、外部基準クロックに同期させることができることを特徴とする。
【００２０】
また、本発明は、上記ディジタル変復調装置で用いられ、エコーキャンセラ方式の出力信号の位相とピンポン方式の入力位相、又はピンポン方式の出力信号の位相とエコーキャンセラ方式の入力位相を合わせこみ、かつ信号形式を合わせることにより両者の接続を行うことを特徴とする。
【発明の効果】
【００２１】
本発明によれば、第１の効果として、ピンポン方式に対応する変復調装置において、エコーキャンセラ方式対応機能を具備しているので、安価にかつ省スペース、省電力、無調整等簡単にピンポン方式からエコーキャンセラ方式への変換ができることである。
第２の効果として、通常のピンポン方式のみで使用する場合には電源を制御するための機能を具備しているので、低消費電力化が実現できることである。
【発明を実施するための最良の形態】
【００２２】
以下、本発明を実施するための最良の形態について添付図面を参照して詳細に説明する。
【００２３】
まず、本発明の特徴について説明する。
本発明は、ピンポン方式におけるディジタル変復調装置において、エコーキャンセラ型局終端機能６（以下ＥＣ−ＣＯと記す）、選択回路４、切断回路７、および変換回路５を追加具備し、ピンポン型伝送方式のみならず、エコーキャンセラ型伝送端末装置を接続できるようにしたことを特徴としている。
【００２４】
図１において、送受信タイミング信号生成回路１は、ピンポン伝送方式に必要な送受信基準タイミングを生成し、必要に応じて他装置に対して出力する。ＴＣＭ−ＤＳＵ２はピンポン伝送方式による信号を通常のディジタル信号に復調する。電源３は、ＴＣＭライン（Ｕ点インタフェース）を通じてファントム給電された電力を装置内に分配し、装置動作に必要な電源を生成する。選択回路４は、本発明の構成要素の１つであり、通常のＴＣＭ−ＤＳＵの出力をそのまま装置外へ出力するかあるいは、後段の変換回路へ出力するか選択を行う。切断回路７は、選択回路４の選択に合わせて、電源の供給経路を制御する。選択回路４がそのままＴＣＭ−ＤＳＵ２の出力を装置外へ出力する経路を選択した場合、切断回路４は後段の変換回路５及びＥＣ−ＣＯ６に供給する電源をカットし、不要な回路動作を押さえ装置内電力消費を押さえる。選択回路４が後段の変換回路５への出力を選択した場合、後段の変換回路５およびＥＣ−ＣＯ６へ電力を供給する。変換回路５は、ＴＣＭ−ＤＳＵ２の出力をＥＣ−ＣＯ６が入力できる信号に変換する。ＥＣ−ＣＯ６はエコーキャンセラ方式の伝送を行うために信号を変換する装置である。このＥＣ−ＣＯ６の先には、エコーキャンセラ方式に適合した回線終端装置が接続される。
以上、ＴＣＭ−ＤＳＵ２からＥＣ−ＣＯ６方向への動作を説明したが、この逆のＥＣ−ＣＯ６からＴＣＭ−ＤＳＵ２方向の動作も同じように行われる。ここではその動作説明は省略する。
【００２５】
このようにして、本願発明では、従来のピンポン方式のみならず、エコーキャンセラ方式に対応する機能を具備し、選択して使用可能であるため、ピンポン方式からエコーキャンセラ方式への変換接続が容易に実現できる。
【実施例１】
【００２６】
まず、本発明の実施例であるディジタル変復調装置における各部の構成を説明する。図１に、本発明の一実施例としての変復調装置の一例を示す。
【００２７】
図１において、送受信タイミング信号生成回路１は、外部から基準クロック信号を受信する。また、送受信タイミング生成回路１の出力はＴＣＭ−ＤＳＵ２に接続され、必要に応じて他装置に対して信号を出力する。
【００２８】
ＴＣＭ−ＤＳＵ２は、外部からピンポン方式に適合したＴＣＭ信号（Ｕ点）を受信または出力する。また、ディジタル化した入出力信号は選択回路４に接続される。また、ファントム給電を受けるため出力は電源へも接続される。電源の出力は切断回路４に接続され、切断回路出力は変換回路５およびＥＣ−ＣＯ６へ接続される。また、切断回路７を制御する信号は選択回路４へ接続される。選択回路４は変換回路５と接続され、さらにＴＣＭ信号（Ｓ／Ｔ点）を外部と接続する。変換回路５は選択回路４およびＥＣ−ＣＯ６と接続される。ＥＣ−ＣＯ６は外部とエコーキャンセラ方式に適合した信号の入出力を行う。
【００２９】
以上詳細に実施例の構成を述べたが、図１の送受信タイミング生成回路１、ＴＣＭ−ＤＳＵ２、電源３、ＥＣ−ＣＯ６は、当業者にとってよく知られており、また本発明とは直接関係しないので、その詳細な構成は省略する。
【００３０】
次に本実施例の動作について説明する。
図１において、送受信タイミング信号生成回路１は、ピンポン伝送方式に必要な送受信基準タイミングを生成し、必要に応じて他装置に対して出力する。通常ＴＣＭ−ＤＳＵ２は受信したピンポン信号から基準タイミングを抽出するが、各々の回線は微妙にタイミングが異なっている。複数回線を同一装置内において同一位相で動作させる必要がある場合には、本回路により外部基準クロックに同期させることができる。
【００３１】
ＴＣＭ−ＤＳＵ２はピンポン伝送方式による信号を通常のディジタル信号に復調する。電源３は、ＴＣＭライン（Ｕ点インタフェース）を通じてファントム給電された電力を装置内に分配し、装置動作に必要な電源を生成する。選択回路４は、本発明の構成要素の一つであり、通常のＴＣＭ−ＤＳＵの出力をそのまま装置外へ出力するかあるいは、後段の変換回路５へ出力するか選択を行う。
【００３２】
切断回路７は、選択回路４の選択に合わせて、電源３の供給経路を制御する。選択回路４がそのままＴＣＭ−ＤＳＵ２の出力を装置外へ出力する経路を選択した場合、切断回路７は後段の変換回路５及びＥＣ−ＣＯ６に供給する電源をカットし不要な回路動作を押さえ装置内電力消費を押さえる。選択回路４が後段の変換回路５への出力を選択した場合、後段の変換回路５およびＥＣ−ＣＯ６へ電力を供給する。
【００３３】
変換回路５は、ＴＣＭ−ＤＳＵ２の出力をＥＣ−ＣＯ６が入力できる信号に変換する。通常ＴＣＭ−ＤＳＵ２は入力されるＵ点信号の持つ位相を基準に動作する。これに対し、ＥＣ−ＣＯ６は同様に自装置の位相で動作する。従ってＴＣＭ−ＤＳＵ２の信号出力位相とＥＣ−ＣＯ６が必要とする入力信号の位相とは異なっている場合が多い。また、ＴＣＭ−ＤＳＵの出力信号形式とＥＣ−ＣＯ６の入力信号形式は異なっている。このため単純に両者を接続しても正常にデータの授受ができない。そこで本変換回路においてＴＣＭ−ＤＳＵ出力信号の位相とＥＣ−ＣＯ６の入力位相を合わせこみ、かつ信号形式を合わせることにより両者の接続を可能としている。
【００３４】
ＥＣ−ＣＯ６はエコーキャンセラ方式の伝送を行うために信号を変換する装置である。このＥＣ−ＣＯ６の先には、エコーキャンセラ方式に適合した回線終端装置が接続される。
【００３５】
以上、ＴＣＭ−ＤＳＵ２からＥＣ−ＣＯ６方向への動作を説明したが、この逆のＥＣ−ＣＯ６からＴＣＭ−ＤＳＵ２方向の動作も同じように行われる。逆の場合の動作について以下に説明する。
【００３６】
選択回路４は、変換回路５により変換したＥＣ−ＣＯ出力信号をそのままＴＣＭ−ＤＳＵ２へ出力するかあるいは、ＴＣＭライン（Ｓ／Ｔ点）信号をＴＣＭ−ＤＳＵ２へ入力するか選択する。切断回路７は、選択回路４の選択に合わせて、電源３の供給経路を制御する。選択回路４が変換回路５の出力をＴＣＭ−ＤＳＵへ２入力する経路を選択した場合、切断回路４は変換回路５及びＥＣ−ＣＯ６に電源を供給し、選択回路４がＴＣＭライン（Ｓ／Ｔ点）信号をＴＣＭ−ＤＳＵ２へ入力する経路を選択した場合、変換回路５およびＥＣ−ＣＯ６へ電力を切断し、装置内消費電力を押さえる。
【００３７】
変換回路５は、ＥＣ−ＣＯ６の出力をＴＣＭ−ＤＳＵ２が入力できる信号に変換する。通常ＴＣＭ−ＤＳＵ２は入力されるＵ点信号の持つ位相を基準に動作する。これに対し、ＥＣ−ＣＯ６は同様に自装置の位相で動作する。従ってＴＣＭ−ＤＳＵの信号入力位相とＥＣ−ＣＯの出力信号の位相とは異なっている場合が多い。また、ＴＣＭ−ＤＳＵの入力信号形式とＥＣ−ＣＯの出力信号形式は異なっている。このため単純に両者を接続しても正常にデータの授受ができない。そこで本変換回路においてＥＣ−ＣＯ出力信号の位相とＴＣＭ−ＤＳＵの入力位相を合わせこみ、かつ信号形式を合わせることにより両者の接続が可能となる。
【００３８】
以上説明したように、本発明の実施例によれば、以下に記載するような効果を奏する。
第１の効果は、ピンポン方式に対応する変復調装置において、エコーキャンセラ方式対応機能を具備しているので、安価にかつ省スペース、省電力、無調整等簡単にピンポン方式からエコーキャンセラ方式への変換ができることである。
第２の効果は、通常のピンポン方式のみで使用する場合には電源を制御するための機能を具備しているので、低消費電力化が実現できることである。
【実施例２】
【００３９】
本発明の実施例２として、その基本的構成は上記実施例１の通りであるが、受電についてさらに工夫している。その構成を図３に示す。本図において、電源はファントム給電からのみでなく、商用電源からの給電を受けることができる。電源はローカル給電（商用電源）を使用するか、ファントム給電からの電力を利用するか、あるいは併用するかの選択が可能である。また、図４において、送受信タイミング生成回路を省略し、より簡略化した装置構成を示す。これにより、より安価な装置として供給可能である。
【００４０】
以上、本発明の実施例について説明したが、上記実施例に限定されるものではなく、その要旨を逸脱しない範囲において種々の変形が可能である。
【産業上の利用可能性】
【００４１】
本発明は、加入者線伝送における加入者区間伝送に供せられるものである。
【図面の簡単な説明】
【００４２】
【図１】本発明の実施例１の構成を示すブロック図である。
【図２】従来の実施例の構成を示すブロック図である。
【図３】本発明の実施例２の構成を示すブロック図である。
【図４】本発明の実施例２の構成を示すブロック図である。
【符号の説明】
【００４３】
１    送受信タイミング生成回路
２    ＴＣＭ−ＤＳＵ
３    電源
４    選択回路
５    変換回路
６    エコーキャンセラ型局終端機能（ＥＣ−ＣＯ）
７    切断回路
【図１】
2005136663.tif 000003
【図２】
2005136663.tif 000004
【図３】
2005136663.tif 000005
【図４】
2005136663.tif 000006